(57)【要約】【課題】容器の口頸部に蓋本体を装着する際等に、蓋本体のスカート壁における外側壁と内側壁とを接続している破断可能部が破断されてしまう虞が少なくない。破断可能部の早期破断を回避するためには、破断可能部の強度を大きくすることが意図され得るが、かくすると口頸部から蓋本体を離脱する際の破断可能部の破断が困難になってしまう。【解決手段】本発明の容器蓋においては、蓋本体（４）のスカート壁（１６）には周方向に連続して延びる環状溝（２６）が形成されている。環状溝には周方向に間隔をおいて複数個の突起（２８）が配設されている。スカート壁の下端から上方に向けて切断を遂行することによって、スカート壁における環状溝よりも下方に位置する下部（３２）が内側壁（３４）と内側壁を囲繞する外側壁（３６）とに分離されていると共に、突起の少なくとも下部も内側部（３８）と外側部（４０）とに分離されている。外側壁は突起の外側部のみを介してスカート壁の環状溝よりも上方に位置する上部（４２）に接続されている。【選択図】　　　　図５
2004142755.tif 000002
【特許請求の範囲】
【請求項１】
容器の口頸部に装着される蓋本体と、該蓋本体に対して着脱自在或いは開位置と閉位置との間を旋回自在である外蓋とから構成され、
該蓋本体は閉鎖壁及び該閉鎖壁から垂下する筒状スカート壁を含み、該スカート壁の内周面には係止手段が配設されており、該係止手段を口頸部の外周面に形成されている保持手段に係合せしめることによって口頸部に装着されて該閉鎖壁が口頸部の頂面を覆い、該閉鎖壁には破断可能ラインによって区画された除去領域が配設されており、該破断可能ラインを破断せしめて該除去領域を除去することによって該閉鎖壁に排出開口が形成され、
該外蓋は該蓋本体に着脱自在に装着されて該閉鎖壁の少なくとも該除去領域を覆い、或いは該閉鎖壁の少なくとも該除去領域を覆う閉位置と該除去領域を露呈せしめる開位置との間を旋回自在に該蓋本体に連結されている、
合成樹脂製容器蓋において、
該蓋本体の該スカート壁には周方向に連続して延びる環状溝が形成され、該環状溝には周方向に間隔をおいて複数個の突起が配設されており、該スカート壁の下端から上方に向けて切断を遂行することによって、該スカート壁における該環状溝よりも下方に位置する下部が内側壁と該内側壁を囲繞する外側壁とに分離されていると共に、該突起の少なくとも下部も内側部と外側部とに分離されており、該外側壁は該突起の該外側部のみを介して該スカート壁の該環状溝よりも上方に位置する上部に接続されている、
ことを特徴とする合成樹脂製容器蓋。
【請求項２】
該突起はその下端から上端まで該内側部と該外側部とに分離されている、請求項１記載の合成樹脂製容器蓋。
【請求項３】
該係止手段は周方向に延びる突条であり、該環状溝は軸線方向において該突条の上部に対応して位置せしめられている、請求項１又は２記載の合成樹脂製容器蓋。
【請求項４】
該外側壁には軸線方向破断可能領域が配設されている、請求項１から３までのいずれかに記載の合成樹脂製容器蓋。
【発明の詳細な説明】
【０００１】
本発明は、蓋本体と外蓋とから構成された容器蓋、更に詳しくは容器の口頸部に装着される蓋本体とこの蓋本体に対して着脱自在或いは開位置と閉位置との間を旋回自在である外蓋とから構成された容器蓋に関する。
【０００２】
【従来の技術】
液体調味料等を収容した容器のための容器蓋として、蓋本体と外蓋とから構成された容器蓋が提案され、実用に供されている。蓋本体は閉鎖壁及び閉鎖壁から垂下する筒状スカート壁を含み、スカート壁の内周面には係止手段が配設されている。かような蓋本体は、係止手段を口頸部の外周面に形成されている保持手段に係合せしめることによって口頸部に装着され、閉鎖壁が口頸部の頂面を覆う。閉鎖壁には破断可能ラインによって区画された除去領域が配設されており、破断可能ラインを破断せしめて除去領域を除去することによって閉鎖壁に排出開口が形成される。外蓋は蓋本体に着脱自在に装着されて閉鎖壁の少なくとも除去領域を覆い、或いは閉鎖壁の少なくとも除去領域を覆う閉位置と除去領域を露呈せしめる開位置との間を旋回自在に蓋本体に連結されている。
【０００３】
上述した形態の容器蓋においては、所謂タンパーエビデント特性（悪戯明示特性）を保持する等のために、容器の口頸部に装着された通常の状態においては、蓋本体は口頸部に充分確実に装着されていて、そのままの形態では口頸部から離脱することが実質上不可能であることが重要である。一方、内容物が消費された後にごみとして破棄する際には、ごみの分別収集の点から、切断具等の工具を必要とすることなく容器の口頸部から蓋本体を充分容易に離脱せしめることができることが重要である。かような要望を満たすために、蓋本体のスカート壁を、その上端又は下端から下端又は上端まで、下端又は上端における周方向に間隔をおいた複数個の切断可能部を残留せしめて、切断して内側壁とこの内側壁を囲繞する外側壁とに分離することが提案されている（特許文献１参照）。かような容器蓋においては、通常の状態においては、内側壁がこれを囲繞する外側壁によって補強され、従って内側壁は半径方向外側に変形せしめてその内周面に形成されている係止手段を口頸部の保持手段から離脱せしめることは実質上不可能である。一方、口頸部から蓋本体を離脱せしめる際には、スカート壁の外側壁を所要方向に引っ張って外側壁を内側壁に接続している破断可能部を切断し、その外側壁を少なくとも部分的に内側壁から離隔せしめる。かくすると、内側壁が外側壁によって補強されなくなり、充分容易に内側壁を半径方向外側に変形せしめてその内周面に形成されている係止手段を口頸部の保持手段から離脱せしめ、かくして、口頸部から蓋本体を離脱することができる。
【０００４】
【特許文献１】
特開平１０−５９４００号公報
【０００５】
【発明が解決しようとする課題】
而して、上述したとおりの容器蓋には、次のとおりの解決すべき問題が存在する。即ち、容器の口頸部に蓋本体を装着する際等に、蓋本体のスカート壁における外側壁と内側壁とを接続している破断可能部が破断されてしまう虞が少なくない。破断可能部の早期破断を回避するためには、破断可能部の強度を大きくすることが意図され得るが、かくすると口頸部から蓋本体を離脱する際の破断可能部の破断が困難になってしまう。
【０００６】
本発明は上記事実に鑑みてなされたものであり、その主たる技術的課題は、蓋本体の一部を破断せしめない限り口頸部から蓋本体を離脱せしめることが実質上不可能であると共に、口頸部から蓋本体を離脱する際には蓋本体の一部を充分容易に破断せしめて口頸部から蓋本体を充分容易に離脱せしめることが可能であり、加えて口頸部に蓋本体を装着する際等に蓋本体の一部が破断されてしまう虞がない、新規且つ改良された容器蓋を提供することである。
【０００７】
【課題を解決するための手段】
本発明者等は、鋭意検討の結果、蓋本体のスカート壁に周方向に連続して延びる環状溝を形成し、この環状溝に周方向に間隔をおいて複数個の突起を配設し、そしてスカート壁の下端から上方に向けて切断を遂行することによって、スカート壁における上記環状溝よりも下方に位置する下部を内側壁とこの内側壁を囲繞する外側壁とに分離すると共に、上記突起の少なくとも下部も内側部と外側部に分離し、外側壁は突起の外側部のみを介してスカート壁の環状溝よりも上方に位置する上部に接続される形態にせしめることによって、上記技術的課題を達成することができることを見出した。
【０００８】
即ち、本発明によれば、上記技術的課題を達成する容器蓋として、容器の口頸部に装着される蓋本体と、該蓋本体に対して着脱自在或いは開位置と閉位置との間を旋回自在である外蓋とから構成され、
該蓋本体は閉鎖壁及び該閉鎖壁から垂下する筒状スカート壁を含み、該スカート壁の内周面には係止手段が配設されており、該係止手段を口頸部の外周面に形成されている保持手段に係合せしめることによって口頸部に装着されて該閉鎖壁が口頸部の頂面を覆い、該閉鎖壁には破断可能ラインによって区画された除去領域が配設されており、該破断可能ラインを破断せしめて該除去領域を除去することによって該閉鎖壁に排出開口が形成され、
該外蓋は該蓋本体に着脱自在に装着されて該閉鎖壁の少なくとも該除去領域を覆い、或いは該閉鎖壁の少なくとも該除去領域を覆う閉位置と該除去領域を露呈せしめる開位置との間を旋回自在に該蓋本体に連結されている、
合成樹脂製容器蓋において、
該蓋本体の該スカート壁には周方向に連続して延びる環状溝が形成され、該環状溝には周方向に間隔をおいて複数個の突起が配設されており、該スカート壁の下端から上方に向けて切断を遂行することによって、該スカート壁における該環状溝よりも下方に位置する下部が内側壁と該内側壁を囲繞する外側壁とに分離されていると共に、該突起の少なくとも下部も内側部と外側部とに分離されており、該外側壁は該突起の該外側部のみを介して該スカート壁の該環状溝よりも上方に位置する上部に接続されている、
ことを特徴とする合成樹脂製容器蓋が提供される。
【０００９】
好ましくは、該突起はその下端から上端まで該内側部と該外側部とに分離されている。該係止手段は周方向に延びる突条であり、該環状溝は軸線方向において該突条の上部に対応して位置せしめられているのが好適である。該外側壁には軸線方向破断可能領域が配設されているのが好都合である。
【００１０】
【発明の実施の形態】
以下、本発明に従って構成されたタンパーエビデント特性を備えた合成樹脂製容器蓋の好適実施形態を図示している添付図面を参照して、更に詳細に説明する。
【００１１】
図１乃至図４には本発明に係る容器蓋の一実施例を図示している。全体を番号２で示す容器蓋は後に詳述する容器の口頸部に装着される蓋本体４と、かかる蓋本体４に対して着脱自在である外蓋６とから構成されている。蓋本体４及び外蓋６はポリプロピレン、ポリエチレンの如き適宜の合成樹脂から夫々別々に成形されている。
【００１２】
蓋本体４は略円盤形状閉鎖壁８と、閉鎖壁８の上面における周縁部から上方に延びる筒状装着壁１０と、装着壁１０よりも半径方向内方における閉鎖壁８の上面から上方に延びるラッパ形状の排出壁１２と、排出壁１２と実質上同一の周方向位置における閉鎖壁８の下面から垂下する筒状シール壁１４と、閉鎖壁８の下面における周縁から垂下する筒状スカート壁１６と、閉鎖壁８の下面におけるシール壁１４とスカート壁１６との間を周方向に延びる環状突条１７とを含んでいる。閉鎖壁８には破断可能ライン１８によって適宜の形状でよい除去領域２０が区画されており、かかる除去領域２０の上面における周縁部には引張リング２２が配設されている。装着壁１０には、その外周面に雄螺条２４が配設されている。
【００１３】
図１と共に図２及び図５を参照して説明を続けると、図示の実施形態におけるスカート壁１６には、その外周面に周方向に連続して延びる環状溝２６が形成されており、かかる環状溝２６には周方向に一定の間隔をおいて複数個の突起２８が配設されている。また、スカート壁１６には、その内周面に係止手段３０が配設されている。かかる係止手段３０は周方向に延びる突条であり、その上部は軸線方向において環状溝２６に対応して位置せしめられているのが好適である。尚、環状溝２６が位置せしめられる部位は、容器蓋２を後に詳述する容器の口頸部６４に装着した際の、蓋本体４の口頸部６４への保持力と、蓋本体４を口頸部６４から離脱せしめる際の、蓋本体４の口頸部からの離脱容易性とを考慮して、係止手段３０の上部か、係止手段２０の下部かに適宜選択することができる。更に、図示の実施形態におけるスカート壁１６には、その下端から上方に向けて環状の切断刃（図示していない）を作用せしめて、スカート壁１６における環状溝２６よりも下方に位置する下部３２を内側壁３４と、かかる内側壁３４を囲繞する外側壁３６とに分離し、次いで環状溝２６に形成されている突起２８も内側部３８と外側部４０とに分離し、そして更にスカート壁１６における環状溝２６よりも上方に位置する上部４２の下端部も内壁４４と、かかる内壁４４とを囲繞する外壁４６とに分離せしめられている。スカート壁１６における環状壁２６よりも下方に位置する下部３２の外側壁３６は突起２８の外側部４０のみを介してスカート壁１６の環状溝２６よりも上方に位置する上部４２に接続されている。かように構成されたスカート壁１６の外側壁３６には軸線方向破断可能領域４８が配設されているのが好適である。図示の軸線方向破断可能領域４８は外側壁３６の下端から軸栓方向の略中間まで上方に延びるスリット５０と、かかるスリット５０の上端から外側壁３６の上端まで上方に延びる薄肉部５２から構成されている。
【００１４】
図１乃至図２を参照して説明を続けると、容器蓋２の外蓋６は円形天面壁５４及び天面壁５４の周縁から垂下する垂下壁５６から構成されている。天面壁５４の下面には筒状シール片５８が形成されている。垂下壁５６の内周面には雌螺条６０が形成されており、垂下壁５６の外周面には、そこに掛けられる指の滑りを阻止する凹凸形状６２が形成されている。
【００１５】
図１には上述したとおりの容器蓋２が装着される、ガラス或いは適宜の合成樹脂等から成形することができる容器の口頸部６４も図示されている。かかる口頸部６４は略円筒形状であり、その外周面には環状係止あご部でよい保持手段６６が形成されている。
【００１６】
容器内に内容物を充填した後に、容器の口頸部６４を容器蓋２、即ち蓋本体４及び外蓋６によって密封する場合には、蓋本体４を適宜の手段によって固定する。次いで、固定された蓋本体４に外蓋６を被嵌し、外蓋６を閉回転方向、即ち図１の上方からみて時計方向に回転せしめる。かくすると、外蓋６の垂下壁５６の内周面に形成されている雌螺条６０が蓋本体４の装着壁１０の外周面に形成されている雄螺条２４に螺合せしめられ、外蓋６は装着壁１０に沿って下降せしめられる。しかる後においては、蓋本体４の排出壁１２の内周面に外蓋６の天面壁５４の下面に形成されている筒状シール片５８の外周面が密接せしめられる。かくして、蓋本体４に外蓋６が装着されて、蓋本体４の閉鎖壁８の除去領域２０が外蓋６によって覆われる。その後、蓋本体４と外蓋６とが組み合わされた容器蓋２を内容物が充填された容器の口頸部６４に被嵌し、下方に強制せしめる。かくすると、容器蓋２における蓋本体４のスカート壁１６の内周面に配設された係止手段３０が容器の口頸部６４の外周面に形成された保持手段６６を弾性的に乗り越えて、その下方に係合せしめられる。一方、蓋本体４の閉鎖壁８の下面に形成されている筒状シール壁１４の外周面及び環状突条１７が口頸部６４の内周面上端部及び頂面に密着されて、容器の口頸部６４が密封される。かくして、容器蓋２が容器の口頸部６４に装着される。上述した場合においては、蓋本体４に外蓋６が装着された後において、容器の口頸部６４が密封せしめられているが、これに代えて容器の口頸部６４を蓋本体４によって密封した後において、容器の口頸部６４に装着された蓋本体４に外蓋６を装着することもできる。
【００１７】
容器内の内容物を消費する際には、容器の口頸部６４に装着された容器蓋２の外蓋６を開回転方向、即ち図１において上方からみて反時計方向に回転せしめる。かくすると、容器蓋２の外蓋６と蓋本体４との螺合が漸次解除せしめられ、外蓋６は蓋本体４に対して上昇せしめられる。しかる後においては外蓋６が蓋本体４から離脱せしめられ、容器の口頸部６４に装着されている蓋本体４の除去領域２０が露呈せしめられる。その後、蓋本体４の引張リング２２に指を掛けて上方に引っ張ると、蓋本体４の閉鎖壁８に形成された破断可能ライン１８が破断されて、引張リング２２及び破断可能ライン１８によって区画された除去領域２０が蓋本体４から離脱せしめられる。これによって蓋本体４の閉鎖壁８には排出開口が形成され、かかる排出開口を通して容器内の内容物を消費することができる。
【００１８】
容器内の内容物を全て消費した後に、容器の口頸部６４に装着されたままの蓋本体４を口頸部６４から離脱せしめる際には、蓋本体４のスカート壁１６の外側壁３６における、軸栓方向破断可能領域４８の近傍を指で摘まみ半径方向外方に強制する。かくすると、軸線方向破断可能領域４８が破断され、次いで環状溝２６に間隔をおいて形成されている複数個の突起２８の外側部４０が順次破断される。これによってスカート壁１６の環状溝２６よりも下方に位置する下部３２の外側壁３６はスカート壁１６から離脱せしめられ、スカート壁１６の環状溝２６よりも下方に位置する下部３２の内側壁３４は外側壁３６によって補強されなくなる。しかる後において、外側壁３６が離脱せしめされた蓋本体４を上方に強制せしめると、蓋本体４のスカート壁１６の内側壁３４は充分容易に半径方向外側に変形せしめられて、スカート壁１６の内周面に形成されている係止手段３０が容器の口頸部６４の外周面に形成されている保持手段６６を弾性的に乗り越えて、蓋本体４が容器の口頸部６４から離脱せしめられる。
【００１９】
図１乃至図５を参照して本発明の一実施例について説明したが、本発明はかかる実施例に限定されるものではなくて、本発明の範囲から逸脱することなく種々の変形乃至修正が可能である。例えば上記実施例においては、外蓋６が蓋本体４に対して着脱自在である所謂螺子式キャップを説明したが、外蓋が蓋本体に対して開位置と閉位置との間を旋回自在にせしめられたヒンジ式キャップにすることもできる。かかるヒンジ式キャップは容器の口頸部６４に装着される蓋本体と、かかる蓋本体にヒンジを介して接続される外蓋とから構成されており、適宜の合成樹脂から一体に成形されている。外蓋は蓋本体に対してヒンジを旋回中心として開位置と閉位置との間を旋回自在にせしめられており、外蓋が蓋本体に対して閉位置にせしめられた際には、外蓋におけるヒンジが形成された部位に対向する位置に形成された係止突起と蓋本体におけるヒンジが形成された部位に対向する位置に形成された係合突起とが係合せしめられ、外蓋が蓋本体に対して固定される。その他の構成は図１乃至図５に図示する実施形態と実質上同一でよい。
【００２０】
【発明の効果】
本発明の蓋本体と外蓋とから構成された合成樹脂製容器蓋においては、蓋本体の一部を破断せしめない限り口頸部から蓋本体を離脱せしめることが実質上不可能であると共に、口頸部から蓋本体を離脱する際には蓋本体の一部を充分容易に破断せしめて口頸部から蓋本体を充分容易に離脱せしめることが可能であり、加えて口頸部に蓋本体を装着する際等に蓋本体の一部が破断されてしまう虞がない。
【図面の簡単な説明】
【図１】本発明に従って構成された容器蓋の一実施形態を示す断面図。
【図２】図１に示す容器蓋の正面図。
【図３】図１に示す容器蓋の外蓋を蓋本体から離脱した状態を示す上面図。
【図４】図１に示す容器蓋の底面図。
【図５】図１に示す容器蓋のスカート壁を示す部分拡大断面図。
【符号の説明】
２：容器蓋
４：蓋本体
６：外蓋
８：閉鎖壁
１６：筒状スカート壁
１８：破断可能ライン
２０：除去領域
２６：環状溝
２８：突起
３０：係止手段
３２：下部
３４：内側壁
３６：外側壁
３８：内側部
４０：外側部
４２：上部
４８：軸線方向破断可能領域
６４：口頸部
６６：保持手段
【図１】
2004142755.tif 000003
【図２】
2004142755.tif 000004
【図３】
2004142755.tif 000005
【図４】
2004142755.tif 000006
【図５】
2004142755.tif 000007